(57)【要約】【課題】コメント付き電子メールの送受装置及び方法に関し、ブラインドカーボンコピーの宛先（ｂｃｃ）対応に、個別にコメントを付加した電子メールを送信可能にし、また、コメントをメール本文の任意の位置に、メール本文と区別して表示されるようにする。【解決手段】発信元Ａから、本来の宛先（ｔｏ）及び秘匿宛先（ｂｃｃ）にそれぞれ送信先のアドレスＸ及びＢを記入し、かつ、秘匿宛先（ｂｃｃ）対応のコメント（ｂｃｃコメント１、ｂｃｃコメント２）の情報として、メール本文中の挿入位置及びコメント内容を添付ファイルとした電子メールを送信する。インターネット内の転送機能を有する電子メール送受装置は、添付ファイルを参照して、本来の宛先（ｔｏ）の送信先Ｘにはコメントの無いメール本文のみを送付し、秘匿宛先（ｂｃｃ）Ｂには、該秘匿宛先（ｂｃｃ）Ｂ対応のコメントが挿入されたメール本文を送付する。【選択図】図１
2007257076.tif 000002
【特許請求の範囲】
【請求項１】
パブリックなネットワークを経由して、宛先が明示されることなくメール本文の複写を本来の宛先以外の宛先（以下、秘匿宛先という。）に送信する機能を有する電子メールの送受装置において、
１又は２以上の秘匿宛先に対して、各秘匿宛先対応にメール本文中に挿入されたコメントの挿入位置及びコメント内容の情報を含む添付ファイルを生成する手段と、
前記秘匿宛先毎に対応付けた前記添付ファイルをメール本文と共に電子メールとして送信する手段と、
を備えたことを特徴とするコメント付き電子メールの送受装置。
【請求項２】
パブリックなネットワークを経由して、メール本文の複写を秘匿宛先に転送する機能を有する電子メールの送受装置において、
１又は２以上の秘匿宛先に対して、各秘匿宛先対応にメール本文中に挿入されたコメントの挿入位置及びコメント内容の情報を含む添付ファイルとメール本文とを有する電子メールを受信したとき、秘匿宛先毎に該秘匿宛先に対応した添付ファイルのみとメール本文とを有する電子メールを生成する手段と、
前記秘匿宛先毎に該秘匿宛先に対応した電子メールを送信する手段と、
を備えたことを特徴とするコメント付き電子メールの送受装置。
【請求項３】
パブリックなネットワークを経由して、秘匿宛先に送信されたメール本文の複写を受信する機能を有する電子メールの送受装置において、
メール本文中に挿入されたコメントの挿入位置及びコメント内容の情報を含む添付ファイルとメール本文とを有する電子メールを受信したとき、該添付ファイルの挿入位置情報を基に、メール本文中のコメント挿入位置を算出する手段と、
前記メール本文中のコメント挿入位置に、コメント内容情報を基に、メール本文と異なる表示形態でコメントを表示する手段と、
を備えたことを特徴とするコメント付き電子メールの送受装置。
【請求項４】
パブリックなネットワークを経由して、メール本文の複写を秘匿宛先に送信する電子メールの送受方法において、
１又は２以上の秘匿宛先に対して、各秘匿宛先対応にメール本文中に挿入されたコメントの挿入位置及びコメント内容の情報を含む添付ファイルを生成する過程と、
前記秘匿宛先毎に対応付けた前記添付ファイルをメール本文と共に電子メールとして送信する過程と、
前記電子メールを受信し、秘匿宛先毎に該秘匿宛先に対応した添付ファイルのみとメール本文とを有する電子メールを生成し、秘匿宛先毎に該秘匿宛先に対応した電子メールを送信する過程と、
前記電子メールを受信し、添付ファイルのコメントの挿入位置及びコメント内容の情報を基に、メール本文中のコメント挿入位置にコメント内容を表示する過程と、
を含むことを特徴とするコメント付き電子メールの送受方法。
【請求項５】
前記添付ファイルのコメントの挿入位置及びコメント内容の情報を基に、メール本文中のコメント挿入位置に、メール本文の表示形態と異なる表示形態でコメントを表示する過程を含むことを特徴とする請求項４に記載のコメント付き電子メールの送受方法。
【発明の詳細な説明】
【技術分野】
【０００１】
本発明は、コメント付き電子メールの送受装置及び方法に関し、特に、パブリックなネットワークであるインターネットを経由して情報を交換する電子メールのブラインドカーボンコピー（ｂｃｃ）用の宛先に、コメントを付した電子メールを配信する電子メールの送受装置及び方法に関する。
【背景技術】
【０００２】
昨今、パブリックなネットワークを介して情報の交換（電子メール）を行う機会が増加しているが、その際には、本来の電子メールの宛先（ｔｏ）の外に、その複写情報の宛先（ｃｃ：カーボンコピー）及び宛先が明示されない複写情報の宛先（ｂｃｃ：ブラインドカーボンコピー）を使用することがよくある。
【０００３】
図１０は、本来の宛先（ｔｏ）及び宛先が明示されない複写情報の宛先（ｂｃｃ）への電子メール配信の様子を示している。なお、以下では、宛先が明示されない複写情報の宛先（ｂｃｃ）を秘匿宛先（ｂｃｃ）と称する。発信元Ａから、本来の宛先（ｔｏ）及び秘匿宛先（ｂｃｃ）にそれぞれ送信先の電子メールアドレスＸ及びＢを記入した電子メールを送信すると、該電子メールは、パブリックなネットワークであるインターネットを介して、本来の宛先（ｔｏ）の送信先Ｘ及び秘匿宛先（ｂｃｃ）の送信先Ｂへ、同一の電子メール本文が配信される。
【０００４】
こうした情報の交換において、複写情報を送信したことが他の送信先に対して明示されることなく、複写情報を送信することができる秘匿宛先（ｂｃｃ）への電子メールの送信において、本来の宛先（ｔｏ）に電子メールの本文を送付した事実を知らせるために、電子メール本文と共に、往々にして、特定の関係者の秘匿宛先（ｂｃｃ）に対してそれぞれ個別のコメントを提示し、その本文に対する説明文を付け加えたい場合がある。
【０００５】
このような場合、本来の宛先（ｔｏ）に送信したメール本文を、特定の関係者に秘匿宛先（ｂｃｃ）として送信した上で、更に、該メール本文にコメントを付与した電子メールを、該特定の関係者を宛先（ｔｏ）として別に送信したりしていた。また、本来の宛先（ｔｏ）の送信先に複写情報の送信宛先が明示されないように、コメント付きの複写情報を送信したい場合には、秘匿宛先（ｂｃｃ）を用いることなく、コメント付き複写情報の送信先を本体の宛先（ｔｏ）とした別個の電子メールとして直接送信したりしていた。なお、上記の何れ送信の場合でも、メール本文に付加するコメントは、メール本文と同様の表示形態で本文に追記する形式で掲載されるものであった。
【０００６】
本発明に関連する先行技術文献として、下記の特許文献１には、メールクライアントから、付加文を挿入したメール本文を含む電子メールを、主受信者の宛先（ｔｏ）、副受信者の宛先（ｃｃ）又は配信されているアドレスが表面にでない宛先（ｂｃｃ）などのように属性の異なる複数の宛先を指定してメールサーバに送信し、メールサーバは、宛先の属性に基づいて、付加文が挿入されたメール本文又は付加文が挿入されていないメール本文のいずれかを含む電子メールを、対応する宛先に送信することにより、属性の異なる宛先に、付加文の挿入されていないメール本文又は付加文が挿入されているメール本文をそれぞれ同時に送信することを可能にした電子メールシステムについて記載されている。
【０００７】
また、下記の特許文献２には、表示手段に表示された文書情報の中で所望の範囲を選択するとともに、表示手段に表示された複数の宛先情報の中のいずれかを選択すると、選択された選択範囲の文書情報と宛先情報とを関連付けて送信用の電文を生成することにより、複数の宛先に対して別個の内容の電子メールを送ることができるようにした電子メール送信装置について記載されている。
【特許文献１】特開２００３−２０８３９０号公報
【特許文献２】特開２０００−１６３３３３号公報
【発明の開示】
【発明が解決しようとする課題】
【０００８】
前述したように、本来の宛先（ｔｏ）に送信したメール本文にコメントを付加した電子メールを、本来の宛先（ｔｏ）以外の宛先に送信するには、本来の宛先（ｔｏ）の電子メール本文の送信とは別に、コメントを付した電子メールを別個に送信しなければならず、送信に二度の手間を掛けなければならなかった。
【０００９】
また、本来の宛先（ｔｏ）に送信した電子メールを、秘匿宛先（ｂｃｃ）の受信人として既に受け取った後に、コメント付きの電子メールが別途送られて来たりすると、同内容の電子メールが重複して届くことになり、受け取った方では混乱を招くことにもなっていた。
【００１０】
また、コメントの表示形態についても、メール本文の中に、メール本文と同様の表示形態で追記する形式でコメント文が掲載されていたため、コメント付きの電子メールを受け取った受信人にとって、メール本文のどの部分に対してコメントしているのかが不明確になりがちで、コメントの趣旨が適切に理解されないと言うこともあった。
【００１１】
また、上記特許文献１等に記載の従来の電子メールシステムでは、主受信者の宛先（ｔｏ）、副受信者の宛先（ｃｃ）又は秘匿宛先（ｂｃｃ）といった宛先の属性に応じて、コメント付き電子メールとコメントの無い電子メールとを区別して送信することはできるが、複数の秘匿宛先（ｂｃｃ）のそれぞれに異なるコメントを付した電子メールを送信することはできなかった。
【００１２】
本発明は、各秘匿宛先（ｂｃｃ）対応に個別に付したコメント付きの電子メールを、１回の送信操作で送信することができ、また、メール本文中の任意の位置に挿入したコメントが、受信先でメール本文中の指定位置に挿入され、メール本文と区別して表示されるコメント付き電子メールの送受装置及び方法を提供することを目的とする。
【課題を解決するための手段】
【００１３】
本発明のコメント付き電子メールの送受装置は、（１）パブリックなネットワークを経由して、メール本文の複写を秘匿宛先に送信する機能を有する電子メールの送受装置において、１又は２以上の秘匿宛先に対して、各秘匿宛先対応にメール本文中に挿入されたコメントの挿入位置及びコメント内容の情報を含む添付ファイルを生成する手段と、前記秘匿宛先毎に対応付けた前記添付ファイルをメール本文と共に電子メールとして送信する手段と、を備えたことを特徴とする。
【００１４】
また、（２）メール本文の複写を秘匿宛先に転送する機能を有する電子メールの送受装置において、１又は２以上の秘匿宛先に対して、各秘匿宛先対応にメール本文中に挿入されたコメントの挿入位置及びコメント内容の情報を含む添付ファイルとメール本文とを有する電子メールを受信したとき、秘匿宛先毎に該秘匿宛先に対応した添付ファイルのみとメール本文とを有する電子メールを生成する手段と、前記秘匿宛先毎に該秘匿宛先に対応した電子メールを送信する手段と、を備えたことを特徴とする。
【００１５】
また、（３）秘匿宛先に送信されたメール本文の複写を受信する機能を有する電子メールの送受装置において、メール本文中に挿入されたコメントの挿入位置及びコメント内容の情報を含む添付ファイルとメール本文とを有する電子メールを受信したとき、該添付ファイルの挿入位置情報を基に、メール本文中のコメント挿入位置を算出する手段と、前記メール本文中のコメント挿入位置に、コメント内容情報を基に、メール本文と異なる表示形態でコメントを表示する手段と、を備えたことを特徴とする。
【００１６】
また、本発明のコメント付き電子メールの送受方法は、（４）メール本文の複写を秘匿宛先に送信する電子メールの送受方法において、１又は２以上の秘匿宛先に対して、各秘匿宛先対応にメール本文中に挿入されたコメントの挿入位置及びコメント内容の情報を含む添付ファイルを生成する過程と、前記秘匿宛先毎に対応付けた前記添付ファイルをメール本文と共に電子メールとして送信する過程と、前記電子メールを受信し、秘匿宛先毎に該秘匿宛先に対応した添付ファイルのみとメール本文とを有する電子メールを生成し、秘匿宛先毎に該秘匿宛先に対応した電子メールを送信する過程と、前記電子メールを受信し、添付ファイルのコメントの挿入位置及びコメント内容の情報を基に、メール本文中のコメント挿入位置にコメント内容を表示する過程と、を含むことを特徴とする。
【００１７】
また、（５）前記添付ファイルのコメントの挿入位置及びコメント内容の情報を基に、メール本文中のコメント挿入位置に、メール本文の表示形態と異なる表示形態でコメントを表示する過程を含むことを特徴とする。
【発明の効果】
【００１８】
インターネットを利用した情報を交換（電子メール）において、秘匿宛先（ｂｃｃ）にメール本文の複写を送信し、その際にコメントを付したい場合、本発明によれば、各秘匿宛先（ｂｃｃ）対応に秘匿宛先（ｂｃｃ）毎のコメントの添付ファイルを付加した電子メールを生成して送信することにより、１回の送信操作で複数の秘匿宛先（ｂｃｃ）に個別のコメントを付した電子メールを送信することができ、後から個別に秘匿宛先（ｂｃｃ）にコメントの電子メールを送信する手間を省くことができる。
【００１９】
また、秘匿宛先（ｂｃｃ）毎のコメントの添付ファイルに、メール本文中におけるコメント挿入位置情報を含めて送信することにより、受信先でメール本文中の指定位置にコメントが挿入され、また、コメントをメール本文と異なる表示形態で表示することにより、コメントをメール本文と区別して表示することができる。
【発明を実施するための最良の形態】
【００２０】
図１は、本発明による秘匿宛先（ｂｃｃ）への電子メールの配信の一例を示している。発信元Ａから、本来の宛先（ｔｏ）及び秘匿宛先（ｂｃｃ）にそれぞれ送信先の電子メールアドレスＸ及びＢを記入し、かつ、秘匿宛先（ｂｃｃ）対応のコメントをメール本文中の任意の箇所に挿入したコメント付き電子メールを送信すると、パブリックなネットワークであるインターネット内の転送機能を有する電子メール送受装置は、本来の宛先（ｔｏ）の送信先Ｘにはコメントの無いメール本文のみを送付し、秘匿宛先（ｂｃｃ）の送信先Ｂにはコメントが挿入されたメール本文を送付する。
【００２１】
図１に示した例では、１つの秘匿宛先（ｂｃｃ）Ｂに対応付けた２つのコメントをメール本文中に挿入した場合の例を示している。図中、これら２つのコメントを「ｂｃｃコメント１」及び「ｂｃｃコメント２」として示し、また、それらのコメントが吹き出しの中に表示される表示形態で、メール本文中の任意の箇所に挿入され、それが秘匿宛先（ｂｃｃ）の送信先Ｂで、同様の表示形態で表示される例を示している。
【００２２】
図２は、本発明によるコメント付き電子メールの送信データの編集例を示している。発信元の電子メールの送受装置は、同図（Ｉ）に示すように、第１の秘匿宛先（ｂｃｃ）Ｂへのコメントｂ１及びコメントｂ２をメール本文中の適当な箇所に挿入し、また、第２の秘匿宛先（ｂｃｃ）Ｃへのコメントｃ（図示省略）を同様にメール本文中の適当な箇所に挿入して電子メールを作成する。
【００２３】
このようにして作成された電子メールの送信データは、発信元において、同図（II）に示すように、本来の宛先（ｔｏ）Ｘ、第１の秘匿宛先（ｂｃｃ）Ｂ、第２の秘匿宛先（ｂｃｃ’）Ｃ及びメール本文のデータに、秘匿宛先（ｂｃｃ）Ｂ及び秘匿宛先（ｂｃｃ）Ｃ対応のコメントファイルを添付した形態に編集される。
【００２４】
第１の秘匿宛先（ｂｃｃ）Ｂのコメントファイルは、同図に「添付ファイルＢ」として示すように、コメントｂ１のメール本文内の挿入位置を示す情報「位置ｂ１」とコメント内容を示す情報「内容ｂ１」を含む情報として編集し、また、第２の秘匿宛先（ｂｃｃ）Ｃのコメントは、同図に「添付ファイルＣ」として示すように、コメントｃのメール本文内の挿入位置を示す情報「位置ｃ」とコメントの内容を示す情報「内容ｃ」を含む情報として編集する。ここで、メール本文中の挿入位置の情報は、メール本文の行番号とその行の先頭からの文字位置、及びその文字位置の文字範囲の上下左右中央の位置で示すものとする。
【００２５】
図３は、本発明によるコメント付き電子メールの転送の一例を示している。同図に示す例では、第１の秘匿宛先（ｂｃｃ）Ｂ及び第２の秘匿宛先（ｂｃｃ）Ｃへそれぞれ別個のコメントｂ及びコメントｃを付加した電子メールが、第１の秘匿宛先（ｂｃｃ）Ｂまで転送される例を示している。
【００２６】
発信元Ａの電子メールソフトウェア（ＭＵＡ：Mail User Agent）を具備した電子メール送受装置（以下、ＭＵＡ送受装置と称す。）３−１から送信された、本来の宛先（ｔｏ）Ｘのメール本文に、秘匿宛先（ｂｃｃ）Ｂ及び秘匿宛先（ｂｃｃ）Ｃ対応のコメントｂ及びコメントｃを付加した電子メールは、インターネット内で電子メールを配送するソフトウェア（ＭＴＡ：Message Transfer Agent）を具備した電子メール送受装置（以下、ＭＴＡ送受装置と称す。）３−２で受信され、ＭＴＡ送受装置３−２では、秘匿宛先（ｂｃｃ）Ｂ及びＣ毎に、対応するコメントファイルのみを添付してそれぞれの送信先に向けて送付する。
【００２７】
即ち、本来の宛先（ｔｏ）の送信先ＸのＭＵＡ送受装置３−３には、コメントの添付ファイルを削除したメール本文のみの電子メールを送信し、秘匿宛先（ｂｃｃ）の送信先ＢのＭＵＡ送受装置３−４に対しては、該秘匿宛先（ｂｃｃ）Ｂに対応したコメントｂの添付ファイルをメール本文に付加した電子メールを送信し、秘匿宛先（ｂｃｃ）Ｃに対しては、該秘匿宛先（ｂｃｃ）Ｃに対応したコメントｃの添付ファイルをメール本文に付加した電子メールを送信する。
【００２８】
秘匿宛先（ｂｃｃ）ＢのＭＵＡ送受装置３−４では、コメントｂの添付ファイルがメール本文に付加された電子メールを受信すると、該コメントｂの添付ファイルのコメント挿入位置の情報及びコメントの内容文の情報を基に、メール本文中の所定の位置に、吹き出し等のような、メール本文の表示形式と異なる形態でコメントを表示する。
【００２９】
図４は、本発明によるコメント付き電子メールのデータ形態を示している。例えば、図２の（Ｉ）に示したようなコメント付き電子メールの場合、図４に示すように、本来の宛先（ｔｏ）Ｘへのメール本文（Content-Type :text/plain）に添付する秘匿宛先（ｂｃｃ）Ｂに対応したコメントｂの添付ファイルとして、秘匿宛先（ｂｃｃ）Ｂに対するコメントの添付ファイルであることを示すデータ“Content-Type :[Ｂ]application/tag-comment”に続けて、吹き出しイメージ、コメント挿入位置及びコメント内容を含むコメントイメージのデータを付加する。
【００３０】
秘匿宛先（ｂｃｃ）Ｂに対するコメントが複数有る場合は、上記の添付ファイルに続けて、同様の添付ファイルを各コメント対応に付加する。更に、他の秘匿宛先（ｂｃｃ）Ｃに対するコメントとして、秘匿宛先（ｂｃｃ）Ｃに対するコメントの添付ファイルであることを示すデータ“Content-Type :[Ｃ]application/tag-comment”に続けて、同様のコメントイメージのデータを示す添付ファイルを付加する。
【００３１】
インターネット上の電子メールを配送するＭＴＡ送受装置は、上記のようなコメント付き電子メールに対して、その宛先情報に対応する“Content-Type”情報から、各秘匿宛先（ｂｃｃ）に対応するコメントの添付ファイルのデータのみをメール本文と共にそれぞれの秘匿宛先（ｂｃｃ）に向けて送信する。なお、ＭＴＡ送受装置は、各秘匿宛先（ｂｃｃ）だけに送付するコメントファイルを、個別に送付する構成とすることもできる。
【００３２】
図５は本発明のコメント付き電子メールが受信先で表示される様子を示している。例えば、図２に示したコメントが挿入された電子メールを受けた秘匿宛先（ｂｃｃ）Ｂの電子メール送受装置は、コメントの添付ファイルの位置情報とそのコメント内容を基に、該コメントを表示するメール本文中の位置を算出すると共に、その位置に例えば吹き出しにコメント内容を表示するなどしてコメントｂ１及びコメントｂ２の表示を行う。また、秘匿宛先（ｂｃｃ）Ｂへコメントの個別のファイルが配信される構成の場合は、コメントファイルであることを示すデータ“Content-Type”に基づき、そのファイルが秘匿宛先（ｂｃｃ）の個別のファイルであることを受信先に示す。
【００３３】
図６は本発明のコメント付き電子メールの転送の一例を示す。電子メールの発信元Ａの電子メール送受装置６−１は、秘匿宛先（ｂｃｃ）の送信先Ｂに向けて、メール本文の２行目の２文字目の左端に、例えば「これだ」というコメントを付けて、本来の宛先（ｔｏ）の送信先Ｘ及び秘匿宛先（ｂｃｃ）の送信先Ｂへ電子メールを送信する。
【００３４】
この電子メールを受けたＭＴＡ送受装置６−２は、本来の宛先（ｔｏ）の送信先Ｘ向けには、秘匿宛先（ｂｃｃ）Ｂの情報とコメントのファイル情報“Content-Type”における秘匿宛先（ｂｃｃ）個別の指定情報を参照して、コメントの添付ファイルを除去して、メール本文のみの電子メールを送信先Ｘへ送付し、秘匿宛先（ｂｃｃ）Ｂの電子メール送受装置６−３には、コメントの添付ファイルが付加された電子メールを送付する。
【００３５】
本来の宛先（ｔｏ）の送信先Ｘでは、メールの本文のみが表示され、秘匿宛先（ｂｃｃ）Ｂの電子メール送受装置６−３では、秘匿宛先（ｂｃｃ）毎の個別情報とメール本文とから、個別情報内のコメントの挿入位置情報とコメント内容とを取り出し、メール本文内の指定された位置を算出し、該位置に吹き出しにて「これだ」というコメントを表示する。
【００３６】
図７は送信元の電子メール送受装置におけるメール編集のフローチャートを示す。同図に示すように、メール本文の作成（ステップ７−１）の後、秘匿宛先（ｂｃｃ）指定のコメント付与が有るか否かを調べ(ステップ７−２）、コメント付与が有る場合、コメント位置情報とコメント内容とを関連付けて、秘匿宛先（ｂｃｃ）指定のコメント情報とする添付ファイルを作成する（ステップ７−３）。
【００３７】
次に、秘匿宛先（ｂｃｃ）指定の添付ファイルが有るか否かを調べ（ステップ７−４）、有る場合は該指定のファイルを秘匿宛先（ｂｃｃ）への添付ファイルとし（ステップ７−５）、それらの添付ファイルをメール本文と共に電子メールとして送信する（ステップ７−６）。
【００３８】
図８にインターネット内の電子メール送受装置におけるメール転送のフローチャートを示す。同図に示すように、送信元から受信した転送メールを取り出し（ステップ８−１）、該転送メールの宛先に秘匿宛先（ｂｃｃ）が有るか否かを調べ（ステップ８−２）、秘匿宛先（ｂｃｃ）が有るときは、秘匿宛先（ｂｃｃ）を取り出し（ステップ８−３）、該秘匿宛先（ｂｃｃ）に関連したコメント情報と添付ファイルのみをメール本文に付与し（ステップ８−４）、該メールを秘匿宛先（ｂｃｃ）に転送する（ステップ８−５）。そして、宛先の全てについて処理したか否かを判定し（ステップ８−６）、未処理の宛先が有る場合は、前述のステップ８−３に戻って、同様の処理を繰り返す。
【００３９】
図９は受信先の電子メール送受装置によるメール復元のフローチャートを示す。インターネットを介して電子メールを受信すると（ステップ９−１）、メール本文を復元し（ステップ９−２）、秘匿宛先（ｂｃｃ）のコメントの有無を調べ（ステップ９−３）、秘匿宛先（ｂｃｃ）のコメントが有る場合は、コメント位置情報に従って該位置にコメントを表示する（ステップ９−４）。更に、秘匿宛先（ｂｃｃ）のファイルの有無を調べ（ステップ９−５）、秘匿宛先（ｂｃｃ）のファイルが有る場合は、秘匿宛先（ｂｃｃ）のファイルを復元してする（ステップ９−６）。
【図面の簡単な説明】
【００４０】
【図１】本発明による秘匿宛先（ｂｃｃ）への電子メールの配信の一例を示す図である。
【図２】本発明によるコメント付き電子メールの送信データの編集例を示す図である。
【図３】本発明によるコメント付き電子メールの転送の一例を示す図である。
【図４】本発明によるコメント付き電子メールのデータ形態の一例を示す図である。
【図５】本発明のコメント付き電子メールが受信先で表示される様子を示す図である。
【図６】本発明のコメント付き電子メールの転送の一例を示す図である。
【図７】送信元の電子メール送受装置におけるメール編集のフローチャートを示す図である。
【図８】インターネット内の電子メール送受装置におけるメール転送のフローチャートを示す図である。
【図９】受信先の電子メール送受装置によるメール復元のフローチャートを示す図である。
【図１０】本来の宛先（ｔｏ）及び宛先が明示されない複写情報の宛先（ｂｃｃ）への電子メール配信の様子を示す図である。
【符号の説明】
【００４１】
Ａ  電子メールの発信元の電子メール送受装置
Ｂ  電子メールの秘匿宛先（ｂｃｃ）の電子メール送受装置
Ｘ  電子メールの本来の宛先の電子メール送受装置
【図１】
2007257076.tif 000003
【図２】
2007257076.tif 000004
【図３】
2007257076.tif 000005
【図４】
2007257076.tif 000006
【図５】
2007257076.tif 000007
【図６】
2007257076.tif 000008
【図７】
2007257076.tif 000009
【図８】
2007257076.tif 000010
【図９】
2007257076.tif 000011
【図１０】
2007257076.tif 000012